(57)【要約】【課題】携帯機器内にあるノイズ信号源から発生するノイズ信号により、テレビ受信感度の劣化を防止する。【解決手段】ケース２０３の対向面１１６の一部に配置されるとともにノイズ信号源からのノイズ信号を伝達する結合素子１１５ｂと、ケース２０１の対向面１１６の一部に配置されるとともにノイズキャンセル部１３７の他方の入力に接続される結合素子１１５ａを設け、ノイズ信号源がテレビ受信用アンテナ１０３に近接した状態においてテレビ信号を受信する場合に、結合素子１１５ａ、１１５ｂを互いに近接させて高周波的に結合させてノイズ信号を伝達するノイズ信号伝達部１１５を設ける。【選択図】図２
2011010262.tif 000002
【特許請求の範囲】
【請求項１】
互いに対向面を有する第１のケースと第２のケースから構成されたテレビ信号を受信できる携帯機器であって、前記第１のケースには、少なくともノイズ信号源を備え、前記第２のケースには、少なくとも、テレビ信号を受信するテレビ受信用アンテナと、このテレビ受信用アンテナからのテレビ信号が一方の入力に接続されるとともに前記ノイズ信号源からのノイズ信号をノイズキャンセルするノイズキャンセル部を備え、前記第１のケースの前記対向面の一部に配置されるとともに前記ノイズ信号源からのノイズ信号を伝達する第１の結合素子と、前記第２のケースの前記対向面の一部に配置されるとともに前記ノイズキャンセル部の他方の入力に接続される第２の結合素子を設け、前記ノイズ信号源が前記テレビ受信用アンテナに近接した状態においてテレビ信号を受信する場合に、前記第１、第２の結合素子を互いに近接させて高周波的に結合させるノイズ信号伝達部を設け、前記ノイズキャンセル部により、前記テレビ受信用アンテナに飛び込んだ前記ノイズ信号を前記ノイズ信号伝達部からのノイズキャンセル用信号を用いてノイズキャンセルする携帯機器。
【請求項２】
前記第１のケースと前記第２のケースとは互いに可動できる請求項１に記載の携帯機器。
【請求項３】
前記第１のケースと前記第２のケースとは一端側のヒンジ部を介して開閉自在とする請求項１に記載の携帯機器。
【請求項４】
前記第１のケースと前記第２のケースとは互いに着脱自在とする請求項１に記載の携帯機器。
【請求項５】
前記第１のケースには、少なくとも、画像を表示できる液晶表示部と、この液晶表示部を制御信号により制御するドライバ部を備え、前記制御信号を前記ノイズ信号源とする請求項１に記載の携帯機器。
【請求項６】
前記第１、第２の結合素子をそれぞれ第１、第２の平板電極とし、前記第１、第２の平板電極を互いに近接させることによりコンデンサ素子とする請求項１に記載の携帯機器。
【請求項７】
前記第１、第２の結合素子をそれぞれ第１、第２のパターン導体とし、前記第１、第２のパターン導体を互いに近接させることにより誘導性結合素子とする請求項１に記載の携帯機器。
【請求項８】
前記第１、第２の結合素子をそれぞれ第１、第２のチップインダクタとし、前記第１、第２のチップインダクタを互いに近接させることにより誘導性結合素子とする請求項１に記載の携帯機器。
【請求項９】
前記第１、第２の結合素子の少なくとも一方は、前記対向面に平行に金属ケース、銅箔パターン、メッキで囲われる請求項１に記載の携帯機器。
【請求項１０】
前記ノイズキャンセル部からの出力信号が供給されるとともに希望信号を選局しデジタル復調するチューナ部と、前記チューナ部から出力される受信品質信号が入力されるとともに受信品質を判定する受信品質判定回路を設け、前記受信品質判定回路からの判定信号に基づいてノイズキャンセルが行われる請求項１に記載の携帯機器。
【発明の詳細な説明】
【技術分野】
【０００１】
本発明は、テレビ受信の可能な高周波受信部を有する携帯機器に関するものである。
【背景技術】
【０００２】
近年の携帯機器は、部品の小型化、半導体素子の集積化がますます進んだことから携帯機器が小型化、薄型化されている。この小型化、薄型化された携帯機器には、液晶表示部、携帯電話、テレビ受信用の高周波受信部、ＧＰＳ受信部、カメラ等が搭載されている。
【０００３】
なお、この出願の発明に関連する先行技術文献情報としては、例えば、特許文献１が知られている。
【先行技術文献】
【特許文献】
【０００４】
【特許文献１】特開２００８-６６８２４号公報
【発明の概要】
【発明が解決しようとする課題】
【０００５】
しかしながら、携帯機器が小型化、薄型化されることにより、液晶表示部、あるいは液晶表示部を制御するためのドライバ部と、テレビ受信用アンテナとの距離が近接して配置されることが発生した。
【０００６】
この場合、ドライバ部から出力される制御信号やその高調波信号が、テレビ受信用アンテナに飛び込んでしまい、テレビ受信時の受信感度が劣化した。
【０００７】
そこで本発明は、ドライバ部から出力される制御信号やその高調波信号によるテレビ受信時の受信感度を改善することを目的とするものである。
【課題を解決するための手段】
【０００８】
この目的を達成するために、本発明の携帯機器は、第１のケースの対向面の一部に配置されるとともにノイズ信号源からのノイズ信号を伝達する第１の結合素子と、第２のケースの前記対向面の一部に配置されるとともにノイズキャンセル部の他方の入力に接続される第２の結合素子を設け、前記ノイズ信号源がテレビ受信用アンテナに近接した状態においてテレビ信号を受信する場合に、前記第１、第２の結合素子を互いに近接させて高周波的に結合させて前記ノイズ信号を伝達するノイズ信号伝達部を設ける。
【０００９】
これにより所期の目的を達成するものである。
【発明の効果】
【００１０】
以上のように、本発明の携帯機器は、第１のケースの対向面の一部に配置されるとともにノイズ信号源からのノイズ信号を伝達する第１の結合素子と、第２のケースの前記対向面の一部に配置されるとともにノイズキャンセル部の他方の入力に接続される第２の結合素子を設け、前記ノイズ信号源がテレビ受信用アンテナに近接した状態においてテレビ信号を受信する場合に、前記第１、第２の結合素子を互いに近接させて高周波的に結合させて前記ノイズ信号を伝達するノイズ信号伝達部を設ける。
【００１１】
これにより、第１のケース内のノイズ信号源から輻射されるノイズ信号がテレビ受信用アンテナに飛び込んだとしても、このノイズ信号をノイズ信号伝達部からのノイズキャンセル用信号を用いてノイズキャンセルすることができる。
【００１２】
従って、テレビ受信時の弱電界地域における受信感度を改善することができる。
【図面の簡単な説明】
【００１３】
【図１】本発明の実施の形態１における携帯機器のブロック図
【図２】（ａ）同、第１、第２のケースを開いた携帯機器を上面から見た透視図、（ｂ）同、第１、第２のケースを開いた携帯機器を側面から見た断面図、（ｃ）同、第１、第２のケースを閉じた携帯機器を側面から見た断面図
【発明を実施するための形態】
【００１４】
（実施の形態１）
以下、本発明の実施の形態１について、図１を用いて説明する。図１は、携帯機器１０１のブロック図である。本発明の実施の形態では一実施例として、ＵＨＦ帯のテレビ信号を受信できる携帯機器１０１について説明する。
【００１５】
この携帯機器１０１は、テレビ受信用アンテナ１０３からのテレビ信号を受信できる高周波受信部１０５と、送受信を可能とする送受信部１０７と、これら高周波受信部１０５と送受信部１０７からの出力信号を信号処理する信号処理部１０９と、この信号処理部１０９からの制御信号が入力されるドライバ部１１１と、このドライバ部１１１からの制御信号により画像を表示できる液晶表示部１１３、高周波受信部１０５と送受信部１０７と信号処理部１０９を制御するシステム制御部１１７から構成されている。
【００１６】
最初に、高周波受信部１０５の構成について説明する。この高周波受信部１０５は、テレビ受信用アンテナ１０３からのテレビ信号が供給される入力端子１２１と、このテレビ受信用アンテナ１０３の入力インピーダンスを整合させる整合器と信号を増幅する高周波増幅器からなる整合回路１２５と、この整合回路１２５からの出力信号が一方の入力１２７ａに供給される合成回路１２７と、この合成回路１２７の他方の入力１２７ｂに接続されるとともに入力１２７ａに入力されたノイズ信号をノイズキャンセルするためのノイズキャンセル用信号を生成するキャンセル信号生成回路１２９と、合成回路１２７の出力１２７ｃから出力される信号が接続されるとともに入力信号を選局しデジタル復調するチューナ部１３１と、このチューナ部１３１から出力されるトランスポートストリーム信号が出力される出力端子１３３と、チューナ部１３１から出力される受信品質信号が入力されるとともに受信品質を判定する受信品質判定回路１３５から構成されている。
【００１７】
このチューナ部１３１の出力端子１３３は、信号処理部１０９の入力端子１０９ａに入力されている。また、受信品質判定回路１３５の出力は信号処理部１０９の入力端子１０９ｂに入力されている。
【００１８】
この信号処理部１０９の出力１０９ｅから出力される制御信号は、ドライバ部１１１を介して液晶表示部１１３に入力されている。
【００１９】
また、ドライバ部１１１から出力される制御信号に代表されるノイズ信号の一部は、ノイズ信号伝達部１１５の入力に接続される。
【００２０】
このノイズ信号伝達部１１５は、例えばドライバ部１１１から出力される制御信号がテレビ受信用アンテナ１０３に飛び込むことによりテレビ信号の受信感度が劣化した場合に、制御信号の一部を抽出するとともにキャンセル信号生成回路１２９に制御信号であるノイズ信号を伝達することができる。
【００２１】
なお、キャンセル信号生成回路１２９と合成回路１２７により、ノイズキャンセル部１３７が構成されている。
【００２２】
次に、送受信部１０７は、送受信用アンテナ１５３と、この送受信用アンテナ１５３が入力端子１５５を介して接続されるとともに携帯電話用の送受信用信号を信号処理する送受信回路１５７と、送受信回路１５７の出力に接続されるとともに変調信号、復調信号の処理を行う変復調回路１５９と、この変復調回路１５９に接続される入力端子１６１、出力端子１６３から構成されている。
【００２３】
これら入力端子１６１、出力端子１６３は、信号処理部１０９の出力端子１０９ｃ、入力端子１０９ｄにそれぞれ接続され、信号処理部１０９の入力１０９ｆには、音声信号が入力される音声入力部１６４が接続されている。
【００２４】
以上のように構成された携帯機器１０１の動作について、図１を用いて以下説明する。
【００２５】
最初に、送受信部１０７を中心に以下説明する。送受信用アンテナ１５３からの受信信号は、送受信回路１５７により選局されて低い周波数信号に変換され、変復調回路１５９によりベースバンド信号に変換されたのち、信号処理部１０９に入力される。この信号処理部１０９から出力される画像信号は、液晶表示部１１３により視聴できる。
【００２６】
また、音声入力部１６４からの音声信号は、信号処理部１０９によりデジタル信号に変換されたのち変復調回路１５９に入力される。この変復調回路１５９から出力された変調信号は、送受信回路１５７により高い周波数に変換されて送受信用アンテナ１５３から送信される。
【００２７】
次に、高周波受信部１０５の動作について説明する。テレビ受信用アンテナ１０３からのテレビ信号は整合回路１２５に供給される。この整合回路１２５により、テレビ受信用アンテナ１０３とのインピーダンス整合を図ることができる。
【００２８】
この整合回路１２５から出力されるテレビ信号は、テレビ受信用アンテナ１０３から整合回路１２５に飛び込んだ例えばドライバ部１１１からの不要な制御信号であるノイズ信号とともに、合成回路１２７の入力１２７ａに入力される。
【００２９】
この合成回路１２７において、入力１２７ａから入力される不要なノイズ信号は、ノイズ信号伝達部１１５を介して伝達されたドライバ部１１１から出力されたノイズ信号によりノイズキャンセルされる。
【００３０】
この合成回路１２７の出力１２７ｃからは、ノイズキャンセルされたテレビ信号が出力され、さらに、チューナ部１３１に入力される。このチューナ部１３１では、高周波増幅器１３１ａ（図示せず）により利得制御されるとともに混合器１３１ｂ（図示せず）により中間周波信号あるいはベースバンド信号に周波数変換され、さらにトランスポートストリーム信号に変換されたのち、出力端子１３３から出力される。
【００３１】
このトランスポートストリーム信号は、信号処理部１０９により映像信号と音声信号が出力され、さらに液晶表示部１１３により視聴できる。
【００３２】
また、システム制御部１１７は、ノイズキャンセル部１３７、チューナ部１３１、信号処理部１０９等を制御することができる。
【００３３】
さらに、チューナ部１３１から出力されるＢＥＲ、Ｃ／Ｎ等の受信品質信号は受信品質判定回路１３５に入力される。この受信品質判定回路１３５から出力される受信品質判定信号に基づいて、システム制御部１１７によりキャンセル信号生成回路１２９の振幅あるいは位相を制御できる。
【００３４】
このようにして、キャンセル信号生成回路１２９を制御し、ノイズキャンセル部１３７により受信品質判定回路１３５により受信品質の判定を行う。
【００３５】
この動作を繰り返すことにより、キャンセル信号生成回路１２９から出力されるノイズキャンセル用信号の振幅と位相を最適な値に設定することができる。
【００３６】
図２（ａ）、（ｂ）、（ｃ）は、ケース２０１とケース２０３の対向面１１６を介してスライド自在とすることにより、重合状態と非重合状態を形成できる携帯機器１０１を表している。
【００３７】
図２（ａ）は、携帯電話の使用時におけるテレビ受信状態の上面から見た透視図である。
【００３８】
図２（ｂ）は、携帯電話の使用時におけるテレビ受信状態の側面から見た断面図である。
【００３９】
図２（ｃ）は、携帯電話を使用しない場合におけるテレビ受信状態の側面から見た断面図である。
【００４０】
すなわち、図２（ｃ）では、ケース２０１とケース２０３とは閉じられた状態となり、ドライバ部１１１あるいは接続部２０７とテレビ受信用アンテナ１０３が近接し、ドライバ部１１１から出力される制御信号がテレビ受信用アンテナ１０３に飛び込み、このためテレビ信号の受信感度の劣化が発生する。なお、接続部２０７はドライバ部１１１と液晶表示部１１３との接続部としている。
【００４１】
このように、携帯機器１０１のケース２０３内のノイズ信号源がテレビ信号の受信感度を劣化させる場合の改善方法について、以下説明する。
【００４２】
図２（ａ）、（ｂ）では、携帯機器１０１を用いて携帯電話を使用するために、ケース２０１に対してケース２０３を互いに開いており、対向面１１６が小さい状態となる。
【００４３】
このケース２０１には、基板２０２と、少なくともテレビ受信用アンテナ１０３と、ノイズキャンセル部１３７と、チューナ部１３１と、信号処理部１０９と、ノイズ信号伝達部１１５を構成する一方の結合素子１１５ａと、キーボード２０５が設けられている。
【００４４】
ケース２０３には、基板２０６と、この基板２０６に装着されたドライバ部１１１と、液晶表示部１１３と、この液晶表示部１１３とドライバ部１１１を接続する接続部２０７と、ノイズ信号伝達部１１５の他方の結合素子１１５ｂが設けられている。
【００４５】
また、信号処理部１０９とドライバ部１１１は接続部２０９により接続されている。さらに、一方の結合素子１１５ａと他方の結合素子１１５ｂとは、このようにケース２０１とケース２０３とが互いに開いた状態では、互いに距離が離れた状態となる。
【００４６】
このように、テレビ受信用アンテナ１０３は、ドライバ部１１１、接続部２０７、あるいは接続部２０９と離れている。このため、ノイズキャンセル部１３７によるノイズキャンセルを行う必要がなく、ノイズ信号伝達部１１５により制御信号を抽出する必要がない。
【００４７】
図２（ｃ）では、携帯電話を使用しない状態を表しているので、ケース２０１に対してケース２０３を閉じた状態となり、対向面が大きい状態となる。
【００４８】
この場合には、一方の結合素子１１５ａと他方の結合素子１１５ｂは、ケース２０１とケース２０３とが互いに閉じた状態となるので、ケース２０１とケース２０３が互いに近接し、かつ対向面１１６を挟んで対向させた状態となる。
【００４９】
これにより、ドライバ部１１１から出力される制御信号は、ノイズ信号伝達部１１５を介してキャンセル信号生成回路１２９に供給される。さらに、このキャンセル信号生成回路１２９からのノイズキャンセル用信号が入力される合成回路１２７では、テレビ受信用アンテナ１０３から飛び込んだ制御信号をノイズキャンセルできる。
【００５０】
次に、ノイズ信号伝達部１１５を構成する結合素子１１５ａ、１１５ｂについて以下説明する。
【００５１】
これら結合素子１１５ａ、１１５ｂは、それぞれ第１、第２の平板電極とし、これら第１、第２の平板電極を互いに近接させることによりコンデンサ素子として構成することができる。
【００５２】
また、これら結合素子１１５ａ、１１５ｂは、それぞれ第１、第２のパターン導体とし、これら第１、第２のパターン導体を互いに近接させることにより誘導性結合素子として構成することができる。
【００５３】
さらに、これら結合素子１１５ａ、１１５ｂは、それぞれ第１、第２のチップインダクタとし、これら第１、第２のチップインダクタを互いに近接させることにより誘導性結合素子として構成することができる。
【００５４】
なお、結合素子１１５ｂは接続部２０７に接続しているが、例えばドライバ部１１１に近接して抽出用のアンテナ（図示せず）を設けてもよい。
【００５５】
また、これら結合素子１１５ａ、１１５ｂの少なくとも一方を対向面１１６に平行に金属ケース、銅箔パターン、メッキ等で囲うことにより、高周波的にシールドできるので不要なノイズ信号がテレビ受信用アンテナ１０３に飛び込むことを防止できる。
【００５６】
以上のように、ケース２０３の対向面１１６の一部に配置される対向部２０１ｂを有するとともにノイズ信号源からのノイズ信号を伝達する結合素子１１５ｂと、ケース２０１の対向面１１６の一部に配置される対向部２０１ａを有するとともにノイズキャンセル部１３７の他方の入力に接続される結合素子１１５ａを設け、ノイズ信号源がテレビ受信用アンテナ１０３に近接した状態においてテレビ信号を受信する場合に、結合素子１１５ａ、１１５ｂを互いに近接させて高周波的に結合させてノイズ信号を伝達する構成としたノイズ信号伝達部１１５を設け、ノイズキャンセル部１３７により、テレビ受信用アンテナ１０３に飛び込んだノイズ信号をノイズ信号伝達部１１５からのノイズキャンセル用信号を用いてノイズキャンセルすることができる。
【００５７】
これにより、テレビ受信時の弱電界地域における受信感度を改善することができる。
【００５８】
なお、このノイズ信号は、システム制御部１１７のノイズ信号、信号処理部１０９のクロック信号、あるいは発振信号の高調波信号としてもよい。
【００５９】
また、本実施の形態では、長手方向に互いに可動できるとともに互いの対向面１１６を有するケース２０１とケース２０３から構成された携帯機器１０１について説明したが、例えば、ケース２０１ａ（図示せず）とケース２０３ａ（図示せず）を一端側のヒンジ部を介して開閉自在とし、このケース２０１ａとケース２０３ａとの対向面１１６ａ（図示せず）にノイズ信号伝達部１１５ａ（図示せず）を設けてもよい。
【００６０】
さらに、本実施の形態では、互いに可動できるとともに互いの対向面１１６を有するケース２０１とケース２０３から構成された携帯機器１０１について説明したが、例えば、ケース２０１ｂ（図示せず）とケース２０３ｂ（図示せず）を着脱自在とし、このケース２０１ｂとケース２０３ｂとの対向面１１６ｂ（図示せず）にノイズ信号伝達部１１５ｂ（図示せず）を設けてもよい。
【００６１】
例えば、ケース２０３ｂ（図示せず）には少なくともテレビ受信用アンテナ１０３、チューナ部１３１を設け、ケース２０１ｂには少なくとも送受信用アンテナ１５３、送受信回路１５７を設け、ケース２０１ｂ（図示せず）から出力されるノイズ信号源としてもよい。
【００６２】
このノイズ信号源は例えば送受信用アンテナ１５３から出力される送信信号とできる。
【産業上の利用可能性】
【００６３】
以上の如く本発明は、テレビ信号の受信可能な携帯電話、携帯用のゲーム機、携帯用のコンピュータ、携帯用の辞書等に用いることができる。
【符号の説明】
【００６４】
１０１  携帯機器
１０３  テレビ受信用アンテナ
１１５  ノイズ信号伝達部
１１５ａ  結合素子
１１５ｂ  結合素子
１１６  対向面
１３７  ノイズキャンセル部
２０１  ケース
２０３  ケース
【図１】
2011010262.tif 000003
【図２】
2011010262.tif 000004